(57)【特許請求の範囲】
【請求項１】
建築物開口部の上枠及び下枠の少なくとも１つに沿って設けられたガイドレールに沿って左右に開閉されるスライド建具に取り付けられて、前記スライド建具の開閉に伴い前記ガイドレール上を摺動するスライド装置において、
前記ガイドレールと接触して摺動可能であるとともに、前記ガイドレールとの摺動時よりも小さな力で前記スライド建具の左右の動きに対して相対的に変位可能なスライダーと、前記スライダーの変位を規制するストッパーとを備え、
前記スライド建具の開閉時において前記スライダーは、前記ストッパーにより変位を規制されるまでは、前記ガイドレール上を摺動することなく前記スライド建具の左右の動きに対して相対的に変位し、前記ストッパーにより変位を規制された後は、前記ガイドレール上を摺動することを特徴とするスライド装置。
【請求項２】
前記スライダーは、前記ガイドレールとの円弧状の接触面を有し、前記スライド建具の左右の動きに対して前記ガイドレール上を転動しながら相対的に変位可能であり、
前記スライド建具の開閉時において前記スライダーは、前記ストッパーにより変位を規制されるまでは、前記ガイドレール上を摺動することなく前記スライド建具の左右の動きに対して前記ガイドレール上を転動しながら相対的に変位し、前記ストッパーにより変位を規制された後は、前記ガイドレール上を摺動することを特徴とする請求項１に記載のスライド装置。
【請求項３】
前記スライダーは、前記スライド建具の左右の動きに対して右左方向にも相対的に変位可能であり、前記ストッパーは、前記スライダーの右左方向の変位と前記スライダーの転動による変位とを同時に規制することを特徴とする請求項２に記載のスライド装置。
【請求項４】
前記スライダーは、前記ガイドレールとの平面状の接触面を有し、前記スライド建具の左右の動きに対して右左方向に相対的に変位可能であり、
前記スライド建具の開閉時において前記スライダーは、前記ストッパーにより変位を規制されるまでは、前記ガイドレール上を摺動することなく前記スライド建具の左右の動きに対して前記ガイドレール上に留まりながら右左方向に相対的に変位し、前記ストッパーにより変位を規制された後は、前記ガイドレール上を摺動することを特徴とする請求項１に記載のスライド装置。
【請求項５】
前記スライド建具との上下方向の変位を吸収する弾性部材を有することを特徴とする請求項１乃至請求項４のうちいずれか一つに記載のスライド装置。
【請求項６】
請求項１乃至請求項５のうちいずれか一つに記載のスライド装置を取り付けたことを特徴とするスライド建具。
【発明の詳細な説明】
【技術分野】
【０００１】
本発明は、住宅等の建築物に用いられるスライド建具に関するものである。
【背景技術】
【０００２】
住宅等の建築物においては、開口部の上枠や下枠に沿って設けられたガイドレールに沿って左右に開閉されるスライド建具が用いられている。代表的なスライド建具として引き戸が挙げられるが、引き戸には、障子、襖、雨戸のような和風の引き戸のほか、ドアと同じような洋風デザインの引き戸も存在する。
【０００３】
障子や襖などは、細い木材で骨格を形成し表面に和紙を張った軽量構造なので、戸の下部が直接敷居上を摺動する構造であっても軽い力で開閉することが可能である。しかし、和風の引き戸であっても雨戸のようにやや重い板戸や、洋風デザインの引き戸の場合、障子や襖と比較して重く、単に摺動させるだけでは特に開閉の最初の段階で抵抗が過大であり、開閉に大きな力が必要であるため、戸車を装着する場合が多い。
【０００４】
戸車を装着する場合、初期には平底の敷居上をそのまま走行させる構造であったが、近年ではより軽快さを求めて、樹脂製戸車と敷居に埋め込まれたレール（Ｖ型レール、Ｙ型レール、Ω型レール、Ｔ型レール等）とを組み合わせて用いるのが一般化している。戸車は回転による抵抗（ころがり摩擦）なので、直接敷居上を摺動させる構造と比べて抵抗が小さく、極めて軽快に作動させることができる。しかし、いったん動き始めると勢いが付き過ぎて反対側の枠に当たって跳ね返ることもあるため、ソフトクローザー機構が併用されるものがある。また、例えば特許文献１には、回転体とスプリング体とを組み合わせて急激な加速度を加えた場合に自動的にブレーキがかかるようにした、ドア用ブレーキ装置に関する発明が記載されている。
【０００５】
また、戸車は、磨耗や油切れ、ゴミの噛み込みによるレール表面の傷等によって、見栄えを損ねたり、騒音を発生させる事がある。そのため、磨耗や油切れに対しては注油のほかに、オイルレスメタルやベアリングの採用により対応しているものがあり、ゴミの噛み込みには、ブラシ等の掃除手段を設けることで対応しているものがある。さらに、特許文献２には、レールの形状に応じて球面スケートが回転したり滑走したりすることで戸車騒音を除去するようにした、引き戸・引き出し用球面スケートに関する発明が記載されている。
【０００６】
一方、スライダーを用いた引き戸も提案されている。これは引き戸の下部全面又は一部に、竹、ナイロン、シリコンなどの滑りやすい摺動片を設け、敷居やレールとの接触面積を最小とした上で、すべり摩擦を減少させる構造となっている。スライダーは回転部分がないので、ゴミの噛み込みが少なく、いったん動き出してしまえば軽快に作動させることができる。
【先行技術文献】
【特許文献】
【０００７】
【特許文献１】実用新案登録第２５０９０４６号公報
【特許文献２】実開平６−５６４３３号公報
【発明の概要】
【発明が解決しようとする課題】
【０００８】
従来の引き戸用の戸車やスライダーに関しては、以下の問題があった。
（１）騒音が大きい。
戸車を用いた場合、レール上の異物の上を走行する度に、異物がレールや戸車の車輪にめり込み、車輪にめり込んだ異物はさらに円周間隔でレールを凹ませ、それら異物により生じた凹凸のために車輪とレールの接触が断続的になり、「ゴー」といった騒音を生じさせる。また、車輪の製造誤差の程度によっては、当初より騒音を発生させるものもある。特に下荷重の建具では、騒音が響きやすく、戸車やレールは床付近に設置されるので異物の除去は容易ではない。敷居に異物が溜まらないように、ＶレールやＹレールのように傾斜を付けたり、Ωレールのように車輪と点接触するようにしたり、あるいは騒音が生じないように軟質な樹脂製車輪やゴム車輪を利用する場合もあるが、磨耗等耐久性の問題もある。
【０００９】
（２）走行性の劣化が早い。
戸車を用いた場合、異物を噛み込むことによりレールや車輪に凹凸が生じ、接触が断続的になる。また、体毛や埃などの車輪軸への巻き込みや油切れ、車輪の磨耗等も生じるため、回転抵抗が大きくなり、走行性が劣化する。
【００１０】
（３）レールや敷居が汚れる。
戸車を用いた場合、ゴミの噛み込みが発生すると、車輪の動きによって、車輪磨耗粉やゴミが敷居やレールに圧着され、水分、油、虫、他のゴミ等も一体化して、頑固な薄い膜状の汚れが形成され、黒あるいは戸車車輪と同系色の汚れとなる。
【００１１】
（４）開閉の最初の段階が重い。
スライダーを用いた場合、摺動式なので、発生する摩擦はすべり摩擦となる。これは戸車のころがり摩擦よりも大きいので、スライダーは作動時に勢いが付き過ぎることはないものの、静止状態から動き始める際に必要な力が戸車に比較して大きく、やや重量の大きな洋風引き戸等では特に大きな力を必要とする。
【００１２】
（５）開閉中は勢いが付き過ぎる。
戸車を用いた場合、最近の戸車は樹脂製車輪とＶレール等との組み合わせが多く、ころがり摩擦が作用したとしても、引き戸の移動中は極めて小さな摩擦しか作用していない。そのため、いったん動き始めると勢いが付きすぎて反対側の枠に当たって騒音を生じさせるとともに、反発して逆に再び開いてしまうことがある。そこで最近では、どこのメーカーもソフトクローザー機構を併用できるよう用意してはいるが、開閉の最初が重くなるという問題がある。また、そもそも走行性向上を追及してきたものに、さらにコストを掛けて走行性を抑制する機構を付加するというのは、何とも無駄の多い発想といえる。
【００１３】
（６）コストアップや煩雑なメンテナンスを必要とする。
戸車を用いた場合、上記の問題に対応するために、車輪の精度向上、オイルレスメタルやベアリング等の採用、ゴミ掃除用ブラシ設置、プラスチック製やゴム製車輪の採用等を行えば、多少の効果が期待できる反面、コストアップその他の問題を引き起こしてしまう。また、Ｖレール等は、ネジ止めできないので返しを用いて溝に嵌め込まれており、そのため交換が困難で、専門業者に対応してもらう必要がある。さらに、ゴミ掃除ブラシのように耐久性の低いものについては、頻繁な交換が必要になってしまう。
【００１４】
また、急激な加速度を加えた場合に自動的にブレーキがかかるようにした発明（特許文献１）や、戸車騒音を除去するようにした発明（特許文献２）においては、いずれも「回転体」や「球面スケート」が、回転したり摺動したりする構成となっているが、引き戸の開閉スピードやレールの形状によっては、回転と摺動とが予想外の動きをすることが考えられるため、上記課題を効果的に解決することはできない。
【００１５】
本発明は、上記従来の課題を解決するものであり、開閉時の騒音を低減するとともに、小さな力で動き出し、その後は適度な速度で作動する、スライド装置及びスライド建具を提供するものである。
【課題を解決するための手段】
【００１６】
請求項１に係る発明のスライド装置は、建築物開口部の上枠及び下枠の少なくとも１つに沿って設けられたガイドレールに沿って左右に開閉されるスライド建具に取り付けられて、前記スライド建具の開閉に伴い前記ガイドレール上を摺動するスライド装置において、前記ガイドレールと接触して摺動可能であるとともに、前記ガイドレールとの摺動時よりも小さな力で前記スライド建具の左右の動きに対して相対的に変位可能なスライダーと、前記スライダーの変位を規制するストッパーとを備え、前記スライド建具の開閉時において前記スライダーは、前記ストッパーにより変位を規制されるまでは、前記ガイドレール上を摺動することなく前記スライド建具の左右の動きに対して相対的に変位し、前記ストッパーにより変位を規制された後は、前記ガイドレール上を摺動することを特徴とする。
【００１７】
請求項２に係る発明は、請求項１に記載のスライド装置において、前記スライダーは、前記ガイドレールとの円弧状の接触面を有し、前記スライド建具の左右の動きに対して前記ガイドレール上を転動しながら相対的に変位可能であり、前記スライド建具の開閉時において前記スライダーは、前記ストッパーにより変位を規制されるまでは、前記ガイドレール上を摺動することなく前記スライド建具の左右の動きに対して前記ガイドレール上を転動しながら相対的に変位し、前記ストッパーにより変位を規制された後は、前記ガイドレール上を摺動することを特徴とする。
【００１８】
請求項３に係る発明は、請求項２に記載のスライド装置において、前記スライダーは、前記スライド建具の左右の動きに対して右左方向にも相対的に変位可能であり、前記ストッパーは、前記スライダーの右左方向の変位と前記スライダーの転動による変位とを同時に規制することを特徴とする。
【００１９】
請求項４に係る発明は、請求項１に記載のスライド装置において、前記スライダーは、前記ガイドレールとの平面状の接触面を有し、前記スライド建具の左右の動きに対して右左方向に相対的に変位可能であり、前記スライド建具の開閉時において前記スライダーは、前記ストッパーにより変位を規制されるまでは、前記ガイドレール上を摺動することなく前記スライド建具の左右の動きに対して前記ガイドレール上に留まりながら右左方向に相対的に変位し、前記ストッパーにより変位を規制された後は、前記ガイドレール上を摺動することを特徴とする。
【００２０】
請求項５に係る発明は、請求項１乃至請求項４のうちいずれか一つに記載のスライド装置において、前記スライド建具との上下方向の変位を吸収する弾性部材を有することを特徴とする。
【００２１】
請求項６に係る発明のスライド建具は、請求項１乃至請求項５のうちいずれか一つに記載のスライド装置を取り付けたことを特徴とする。
【００２２】
なお、上記請求項において、「スライド建具」には、ガイドレールに沿って建具がそのまま並行に移動する「引き戸」のほかに、建具が折り畳まれるように移動しながら開かれる「折れ戸」や、建具がガイドレールに対して直角になるように移動しながら開かれるものなどが含まれ、取り付けられたスライド装置がガイドレールに沿って移動するものであれば、建具の移動形態は特に限定されない。また、スライド装置が建具下部に取り付けられる下荷重のスライド建具と、スライド装置が建具上部に取り付けられる上荷重のスライド建具の両者が含まれる。
【００２３】
また、上記請求項において、「ガイドレール」には、スライド建具をガイド可能なレール状の構成のものであれば、鴨居や敷居に別体のレール（Ｖ型レール、Ｙ型レール、Ω型レール、Ｔ型レール等）を取り付けたもののほか、鴨居や敷居自体に溝を掘ったものや、鴨居や敷居に掘った溝の底に滑る部材を貼り付けたものなども含まれる。
【発明の効果】
【００２４】
請求項１に記載の発明においては、スライド建具に取り付けられるスライド装置が、ガイドレールと接触して摺動可能であるとともに、ガイドレールとの摺動時よりも小さな力でスライド建具の左右の動きに対して相対的に変位可能なスライダーと、スライダーの変位を規制するストッパーとを備えている。そして、スライド建具の開閉時においてスライダーは、ストッパーにより変位を規制されるまでは、ガイドレール上を摺動することなくスライド建具の左右の動きに対して相対的に変位する。従って、スライド建具の開閉開始時には摺動によるすべり摩擦が発生しないため、小さな力で動かすことができる。
【００２５】
一方、ストッパーにより変位を規制された後は、スライダーはガイドレール上を摺動するので、摺動によるすべり摩擦が発生する。この段階では既に建具が移動中で大きな力は必要でないため、適度な摩擦となり、勢いが付きすぎて反対側の枠に当たって騒音を生じたり、反発して逆に再び開いたりする恐れも少ない。また、摺動による移動であるため騒音も小さい。
【００２６】
また、請求項２に記載の発明においては、スライダーがガイドレールとの円弧状の接触面を有し、スライド建具の左右の動きに対してガイドレール上を転動しながら相対的に変位可能になっている。従って、スライド建具の開閉開始時には、スライダーはガイドレール上を転動するためころがり摩擦が発生し、摺動によるすべり摩擦が発生しないため、小さな力で動かすことができる。
【００２７】
また、請求項３に記載の発明においては、さらにスライダーがスライド建具の左右の動きに対して右左方向にも相対的に変位可能であり、ストッパーがスライダーの右左方向の変位と転動による変位とを同時に規制するようになっている。従って、スライド建具の開閉開始時には、スライダーはガイドレール上を転動するとともに右左方向にも変位し、摺動によるすべり摩擦が発生しないため、小さな力で動かすことができる。
【００２８】
また、請求項４に記載の発明においては、スライダーがガイドレールとの平面状の接触面を有し、スライド建具の左右の動きに対して右左方向に相対的に変位可能になっている。従って、スライド建具の開閉開始時には、スライダーはガイドレール上に留まりながら右左方向に相対的に変位し、摺動によるすべり摩擦が発生しないため、小さな力で動かすことができる。さらに、スライダーが初動時においても回動しないので、異物の噛み込みをより少なくすることができる。
【００２９】
また、請求項５に記載の発明においては、スライド建具との上下方向の変位を吸収する弾性部材を有している。従って、スライダーがガイドレール上を摺動する際のスティックスリップ現象や、建具本体への振動の伝達を防止することができる。
【００３０】
また、請求項６に記載の発明においては、上記スライド装置をスライド建具に取り付けることで、開閉時の騒音を低減するとともに、適度な力加減で開閉操作を行うことができる。
【００３１】
以上、本発明によれば、開閉時の騒音を低減するとともに、小さな力で動き出し、その後は適度な速度で作動する、スライド装置及びスライド建具を提供することができる。
【図面の簡単な説明】
【００３２】
【図１】本発明の実施形態１に係るスライド装置を示す正面図である。
【図２】図１のＡ−Ａ断面図である。
【図３】実施形態１に係るスライド装置の使用状態を示す図である。
【図４】実施形態１に係るスライド装置の使用状態を示す図である。
【図５】実施形態２に係るスライド装置を示す斜視図である。
【図６】実施形態２に係るスライド装置の使用状態を示す図である。
【図７】実施形態３に係るスライド装置の内部を示す図である。
【図８】実施形態３に係るスライド装置の使用状態を示す図である。
【図９】実施形態１〜３に係るスライド建具を示す正面図である。
【図１０】他の実施形態に係るスライド建具を示す正面図である。
【図１１】他の実施形態に係るスライド建具を示す正面図である。
【図１２】他の実施形態に係るスライド建具を示す平面図である。
【図１３】他の実施形態に係るスライド建具を示す正面図である。
【図１４】他の実施形態に係るスライド建具を示す平面図である。
【発明を実施するための形態】
【００３３】
次に、図１乃至図４及び図９を参照して、本発明の実施形態１に係るスライド装置及びスライド建具について説明する。図１は、実施形態１に係るスライド装置１０を示す正面図であり、図２は、図１のＡ−Ａ断面図である。また、図３及び図４は、実施形態１に係るスライド装置１０の使用状態を示す図である。また、図９は、実施形態１に係るスライド装置１０を取り付けたスライド建具１００を示す正面図である。
【００３４】
図９に示すように、建築物開口部には、上枠及び下枠に沿ってそれぞれ、ガイドレール１及びガイドレール２が設けられている。そして、スライド建具１００は、ガイドレール１とガイドレール２とに沿って左右に開閉されるようになっている。また、スライド建具１００には、開閉時に手をかけるための取っ手３が設けられている。
【００３５】
また、スライド建具１００の下部には、スライド装置１０，１０が取り付けられている。このスライド装置１０，１０は、スライド建具１００の開閉に伴い、ガイドレール２上を摺動するようになっている。
【００３６】
次に、図１及び図２を参照して、スライド装置１０の構成について説明する。スライド装置１０のブラケット１３には、回転軸１４を中心にして回転するように、車輪状のスライダー１１が取り付けられている。図２に示すように、ガイドレール２に設置された状態で、スライダー１１はガイドレール２の上面と接触しており、スライダー１１は、ガイドレール２との円弧状の接触面を有している。スライダー１１の材料としては、ＰＯＭ材やＭＣナイロン等を用いることができる。また、ガイドレール２の表面にもテフロン（登録商標）やフッソ処理等の摩擦軽減処理を行うことが好ましい。なお、ガイドレール２は固定ビス４によって固定されている。
【００３７】
またスライダー１１の外周部下側には、スライダー１１よりも幅狭で半円状のランナー１２が形成されている。ランナー１２はガイドレール２の溝部に嵌合してスライド装置１０がガイドレール１２から外れるのを防止するようになっている。
【００３８】
また、ブラケット１３には、図１の左右方向に突出するようにしてストッパー１５が設けられている。スライダー１１が回転すると、半円状のランナー１２も回転軸１４を中心に回転する。そして、ランナー１２の端部がストッパー１５に接触すると、ランナー１２の動きが規制されて、同時にスライダー１１の動きも規制されるようになっている。ストッパー１５の材料としては、プラスチック等の成型品を用いてもよいが、ランナー１２とストッパー１５の接触音を低減するために、ゴム等の防音材を用いることが好ましい。
【００３９】
また、ブラケット１３の上部には、バネやゴム等の弾性部材を用いたダンパー１６の一端が取り付けられている。ダンパー１６の他端はスライド建具１００の内部天井面（図示しない）に取り付けられており、ダンパー１６は、スライド装置１０とスライド建具１００との上下方向の変位を吸収するようになっている。
【００４０】
次に、図３及び図４を参照して、スライド建具１００の開閉時におけるスライド装置１０の動きについて説明する。図３は、スライド建具１００が右方向に移動する場合を示したものである。図３（ａ）の静止状態からスライド建具１００が右方向に移動し始めると、ガイドレール２の上面に接触しているスライダー１１は、ガイドレール２上を摺動することなく、スライド建具１００の右方向の動きに対してガイドレール２上を転動しながら相対的に変位し、図３（ｂ）に示す状態になる。すなわち、スライダー１１は、ガイドレール２と摺動させるよりも小さな力でガイドレール２上を転動させることができる。このとき、スライダー１１が転動するのに合わせてランナー１２も回転する。
【００４１】
さらにスライド建具１００が右方向に移動してスライダー１１が転動すると、図３（ｃ）に示すように、ランナー１２の端部がストッパー１５に接触する。そうすると、ランナー１２は回転を止められ、同時にスライダー１１もこれ以上転動することができなくなる。すなわち、スライダー１１は、ストッパー１５に規制されて、スライド建具１００の右方向の動きに対して転動しながら相対的に変位することができなくなる。
【００４２】
その後は、スライド建具１００が右方向に移動すると、スライダー１１は図３（ｃ）に示した状態のままでガイドレール２の上面を摺動するようになる。
【００４３】
同様に図４は、スライド建具１００が左方向に移動する場合を示したものである。図４（ｃ）の静止状態からスライド建具１００が左方向に移動し始めると、ガイドレール２の上面に接触しているスライダー１１は、ガイドレール２上を摺動することなく、スライド建具１００の左方向の動きに対してガイドレール２上を転動しながら相対的に変位し、図４（ｂ）に示す状態になる。すなわち、スライダー１１は、ガイドレール２と摺動させるよりも小さな力でガイドレール２上を転動させることができる。このとき、スライダー１１が転動するのに合わせてランナー１２も回転する。
【００４４】
さらにスライド建具１００が左方向に移動してスライダー１１が転動すると、図４（ａ）に示すように、ランナー１２の端部がストッパー１５に接触する。そうすると、ランナー１２は回転を止められ、同時にスライダー１１もこれ以上転動することができなくなる。すなわち、スライダー１１は、ストッパー１５に規制されて、スライド建具１００の左方向の動きに対して転動しながら相対的に変位することができなくなる。
【００４５】
その後は、スライド建具１００が左方向に移動すると、スライダー１１は図４（ａ）に示した状態のままでガイドレール２の上面を摺動するようになる。
【００４６】
実施形態１に係るスライド装置１０及びスライド建具１００においては、スライド建具１００に取り付けられるスライド装置１０が、ガイドレール２と接触して摺動可能であるとともに、ガイドレール２との摺動時よりも小さな力でスライド建具１００の左右の動きに対して相対的に変位可能なスライダー１１と、スライダー１１の変位を規制するストッパー１５とを備えている。また、スライダー１１がガイドレール２との円弧状の接触面を有し、スライド建具の左右の動きに対してガイドレール２上を転動しながら相対的に変位可能になっている。
【００４７】
そして、スライド建具１００の開閉時においてスライダー１１は、ストッパー１５により変位を規制されるまでは、ガイドレール２上を摺動することなくスライド建具１００の左右の動きに対してガイドレール２上を転動しながら相対的に変位する。従って、スライド建具１００の開閉開始時には、スライダー１１はガイドレール２上を転動するためころがり摩擦が発生し、摺動によるすべり摩擦が発生しないため、小さな力で動かすことができる。
【００４８】
一方、ストッパー１５により変位を規制された後は、スライダー１１はガイドレール２上を摺動するので、摺動によるすべり摩擦が発生する。この段階では既に建具１００が移動中で大きな力は必要でないため、適度な摩擦となり、勢いが付きすぎて反対側の枠に当たって騒音を生じたり、反発して逆に再び開いたりする恐れも少ない。また、摺動による移動であるため騒音も小さい。
【００４９】
また、スライド建具１００との上下方向の変位を吸収する弾性部材であるダンパー１６を有している。従って、スライダー１１がガイドレール２上を摺動する際のスティックスリップ現象や、建具１００本体への振動の伝達を防止することができる。
【００５０】
このように、スライド装置１０をスライド建具１００に取り付けることで、開閉時の騒音を低減するとともに、適度な力加減で開閉操作を行うことができる。
【００５１】
次に、図５及び図６を参照して、本発明の実施形態２に係るスライド装置及びスライド建具について説明する。図５は、実施形態２に係るスライド装置２０を示す斜視図であり、図６は、実施形態２に係るスライド装置２０の使用状態を示す図である。なお、実施形態２に係るスライド装置２０も、実施形態１と同様に図９に示すスライド建具１００に取り付けられる。
【００５２】
図５に示すように、スライド装置２０のケース２３には、回転軸２４を中心にして回転するように、車輪状のスライダー２１が取り付けられている。また、回転軸２４は、ケース２３の両側面に形成された水平方向の長孔２６に取り付けられている。そして、回転軸２４は長孔２６を水平方向に移動することが可能であり、その結果、スライダー２１自体もケース２３の内部を長孔２６に沿って左右に移動することができるようになっている。
【００５３】
また、スライダー２１の両側面には、スライダー２１よりも小径の側面部２２，２２が形成されている。側面部２２，２２の表面には滑り止めが施されている。
【００５４】
また、ケース２３の内側には、棒状のストッパー２５，２５，２５，２５が設けられている。スライダー２１が長孔２６に沿って左右に移動すると、やがて側面部２２，２２が左右いずれかのストッパー２５，２５に接触する。そうすると、側面部２２，２２の動きが規制されて、同時にスライダー２１の動きも規制されるようになっている。
【００５５】
次に、図６を参照して、スライド建具１００の開閉時におけるスライド装置２０の動きについて説明する。図６（ｂ）の静止状態からスライド建具１００が右方向に移動し始めると、ガイドレール２の上面に接触しているスライダー２１は、ガイドレール２上を摺動することなく、スライド建具１００の右方向の動きに対してガイドレール２上を転動しながら相対的に変位する。それと同時に、スライダー２１は長孔２６に沿って左方向にも相対的に変位して、やがて、図６（ｃ）に示す状態になる。すなわち、スライダー２１は、ガイドレール２と摺動させるよりも小さな力でガイドレール２上を転動させ、同時に長孔２６に沿って左方向にも相対的に変位させることができる。
【００５６】
そして、側面部２２，２２が左側のストッパー２５，２５に接触して、側面部２２，２２は回転を止められ、同時にスライダー２１もこれ以上転動することができなくなる。すなわち、スライダー２１は、ストッパー２５に規制されて、スライド建具１００の右方向の動きに対して、左方向の変位と転動による変位とを同時に規制される。その後は、スライド建具１００が右方向に移動すると、スライダー２１は図６（ｃ）に示した状態のままでガイドレール２の上面を摺動するようになる。
【００５７】
同様に、スライド建具１００が左方向に移動し始めると、ガイドレール２の上面に接触しているスライダー２１は、ガイドレール２上を摺動することなく、スライド建具１００の左方向の動きに対してガイドレール２上を転動しながら相対的に変位する。それと同時に、スライダー２１は長孔２６に沿って右方向にも相対的に変位して、やがて、図６（ａ）に示す状態になる。すなわち、スライダー２１は、ガイドレール２と摺動させるよりも小さな力でガイドレール２上を転動させ、同時に長孔２６に沿って右方向にも相対的に変位させることができる。
【００５８】
そして、側面部２２，２２が右側のストッパー２５，２５に接触して、側面部２２，２２は回転を止められ、同時にスライダー２１もこれ以上転動することができなくなる。すなわち、スライダー２１は、ストッパー２５に規制されて、スライド建具１００の左方向の動きに対して、右方向の変位と転動による変位とを同時に規制される。その後は、スライド建具１００が左方向に移動すると、スライダー２１は図６（ａ）に示した状態のままでガイドレール２の上面を摺動するようになる。
【００５９】
実施形態２に係るスライド装置２０及びスライド建具１００においては、実施形態１における作用効果に加えて、さらにスライダー２１がスライド建具１００の左右の動きに対して右左方向にも相対的に変位可能であり、ストッパー２５がスライダー２１の右左方向の変位と転動による変位とを同時に規制するようになっている。従って、スライド建具１００の開閉開始時には、スライダー２１はガイドレール２上を転動するとともに右左方向にも変位し、摺動によるすべり摩擦が発生しないため、小さな力で動かすことができる。
【００６０】
次に、図７及び図８を参照して、本発明の実施形態３に係るスライド装置及びスライド建具について説明する。図７は、実施形態３に係るスライド装置３０の内部を示す図であり、図８は、実施形態３に係るスライド装置３０の使用状態を示す図である。なお、実施形態３に係るスライド装置３０も、実施形態１と同様に図９に示すスライド建具１００に取り付けられる。
【００６１】
図７に示すように、スライド装置３０のケース３２，３３の内部には、複数のコロ３４が配置されており、ケース３２とケース３３は、複数のコロ３４を介して、互いに左右方向に変位できるようになっている。ただし、ケース３３の内壁がストッパーの役目を果たすようになっており、ケース３２の端部がケース３３の内壁に接触することで、左右方向の変位が規制されるようになっている。また、ケース３２の下面には、ガイドレール２の上面と接触するスライダー３１が取り付けられており、スライダー３１はガイドレール２との平面状の接触面を有している。
【００６２】
次に、図８を参照して、スライド建具１００の開閉時におけるスライド装置３０の動きについて説明する。図８（ｂ）の静止状態からスライド建具１００が右方向に移動し始めると、ガイドレール２の上面に接触しているスライダー３１は、ガイドレール２上を摺動することなく、スライド建具１００の右方向の動きに対してガイドレール２上に留まりながら左方向に相対的に変位し、やがて、図８（ｃ）に示す状態になる。すなわち、スライダー３１は、ガイドレール２と摺動させるよりも小さな力でガイドレール２上に留めながら左方向に相対的に変位させることができる。
【００６３】
そして、ケース３２の端部がケース３３の内壁に接触して、スライダー３１はこれ以上左方向に相対的に変位することができなくなる。その後は、スライド建具１００が右方向に移動すると、スライダー２１は図８（ｃ）に示した状態のままでガイドレール２の上面を摺動するようになる。
【００６４】
同様に、スライド建具１００が左方向に移動し始めると、ガイドレール２の上面に接触しているスライダー３１は、ガイドレール２上を摺動することなく、スライド建具１００の左方向の動きに対してガイドレール２上に留まりながら右方向に相対的に変位し、やがて、図８（ａ）に示す状態になる。すなわち、スライダー３１は、ガイドレール２と摺動させるよりも小さな力でガイドレール２上に留めながら右方向に相対的に変位させることができる。
【００６５】
そして、ケース３２の端部がケース３３の内壁に接触して、スライダー３１はこれ以上右方向に相対的に変位することができなくなる。その後は、スライド建具１００が左方向に移動すると、スライダー２１は図８（ａ）に示した状態のままでガイドレール２の上面を摺動するようになる。
【００６６】
なお、実施形態３においては、ケース３２とケース３３を、複数のコロ３４を介して、互いに左右方向に変位できるように構成したが、必ずしもコロを用いた構成に限定されるものではない。例えば、コロに代えて、ケース３２とケース３３の間に、摩擦係数の小さな板状部材を挟み込んで摺動させることもできる。さらに、ケース３２とケース３３自体を摩擦係数の小さな部材により形成し、両者を直接摺動させるようにしてもよい。要は、ガイドレール２の上面と接するスライダー３１の最大静止摩擦以下の力で、ケース３２とケース３３が変位（すなわち、スライダー３１とスライド建具１００が変位）できるようになっていればよい。
【００６７】
言い換えれば、スライダー３１とスライド建具１００との間に両者の変位を可能にする中間部材を介在させるとともに、その中間部材による両者の変位が、ガイドレール２の上面と接するスライダー３１の最大静止摩擦以下の力で行われるようになっているということができる。そうすれば、静止状態からスライド建具１００が移動し始めたときに、スライダー３１がガイドレール２上に留まったまま、スライダー３１とスライド建具１００が相対的に変位することになる。
【００６８】
実施形態３に係るスライド建具装置３０及びスライド建具１００においては、スライダー３１がガイドレール２との平面状の接触面を有し、スライド建具１００の左右の動きに対して右左方向に相対的に変位可能になっている。従って、スライド建具１００の開閉開始時には、スライダー３１はガイドレール２上に留まりながら右左方向に相対的に変位し、摺動によるすべり摩擦が発生しないため、小さな力で動かすことができる。さらに、スライダー３１が初動時においても回動しないので、異物の噛み込みをより少なくすることができる。
【００６９】
なお、上記実施形態においては、スライド装置１０，２０，３０を、図９に示すスライド建具１００に取り付けた場合について説明したが、図１０乃至図１４に示す、他の実施形態に係るスライド建具についても適用することが可能である。
【００７０】
図１０に示すスライド建具２００は、いわゆる「吊り戸」と呼ばれる上荷重の建具である。スライド建具２００の場合、スライド装置１０（２０，３０）は、建具上部の２ヶ所に取り付けられている。そして、スライド装置１０（２０，３０）は、建築物開口部の上枠に沿って設けられたガイドレール１上を摺動する。
【００７１】
図１１及び図１２に示すスライド建具３００は、いわゆる「折れ戸」と呼ばれるものであり、折り畳まれるように移動しながら開かれる建具である。なお、図１１及び図１２において、（ａ）は閉状態を、（ｂ）は開状態を示している。スライド建具３００の場合、スライド装置１０（２０，３０）は、建具下部の１ヶ所に取り付けられている。そして、スライド装置１０（２０，３０）は、建築物開口部の下枠に沿って設けられたガイドレール２上を摺動する。なお、図１１及び図１２に示したスライド建具３００は、建具の片側が固定された折れ戸であるが、折れ戸には両側とも固定されていないものや、片側が仮固定されて必要に応じて動けるようにしたものもあり、これらの場合には、スライド装置は建具下部の２ヶ所に取り付けられる。
【００７２】
図１３及び図１４に示すスライド建具４００は、建具がガイドレール１，２に対して直角になるように移動しながら開かれるものである。なお、図１３及び図１４において、（ａ）は閉状態を、（ｂ）は開状態を示している。また、開閉時の補助部材としてアーム５が用いられる。スライド建具４００の場合、スライド装置１０（２０，３０）は、建具下部の１ヶ所に取り付けられている。そして、スライド装置１０（２０，３０）は、建築物開口部の下枠に沿って設けられたガイドレール２上を摺動する。
【００７３】
このように、上記実施形態にかかるスライド装置の適用にあたっては、取り付けられたスライド装置１０（２０，３０）がガイドレール１，２に沿って移動するものであれば、建具の移動形態は特に限定されない。また、スライド装置１０（２０，３０）が建具下部に取り付けられる下荷重のスライド建具と、スライド装置１０（２０，３０）が建具上部に取り付けられる上荷重のスライド建具の両者が含まれる。
【００７４】
ただし、建築物開口部の下枠に沿って設けられたガイドレール２に沿って左右に開閉される下荷重のスライド建具の下面に上記スライド装置１０（２０，３０）を取り付けることで、特にゴミの溜まりやすい部分の騒音等を効果的に低減することができる。
【００７５】
以上のように、上記実施形態によれば、開閉時の騒音を低減するとともに、小さな力で動き出し、その後は適度な速度で作動する、スライド装置及びスライド建具を提供することができるので、以下のように従来の課題を解決することができる。
【００７６】
（１）騒音が小さい。
開閉の開始時以外ほとんどの部分でスライダーが摺動するので、異物の噛み込みが少ない。例え異物を噛み込んでも、レールや車輪には摺動によって直線的な傷が付くものと考えられ、車輪とレールの接触が断続的になりにくい。従って、走行時の騒音が小さい。
【００７７】
（２）走行性の劣化が遅い。
異物の噛み込みが少なく、例え噛み込んでも傷が直線的に付くものと考えられるので、車輪とレールの接触が断続的にならず、抵抗が大きくなりにくい。また、体毛や埃などの車輪軸への巻き込みの可能性が低く、軸の油切れや部品の磨耗も生じにくい。従って、走行性の劣化が遅い。
【００７８】
（３）レールや敷居が汚れにくい。
スライダーとレールの間にゴミが噛み込みにくいので、レールや敷居が汚れにくい。
【００７９】
（４）開閉の最初の段階が軽い。
開閉の開始時は、レールと摺動させるよりも小さな力でスライダーを変位させることができるので、開閉が楽であり、やや重量の大きな洋風引き戸等でも、従来の戸車と同様に開閉に大きな力が不要で軽快である。
【００８０】
（５）開閉中は勢いが付き過ぎない。
いったん動き出してしまえば、スライダーが摺動してすべり摩擦が発生するので、適度のブレーキとなり、建具に勢いが付き過ぎて反対側の枠に当たって騒音を生じたり、反発して逆に再び開いたりする恐れも少ない。従って、ソフトクローザー機構を用いる必要性も低い。もちろん、ソフトクローザー機構を付加した構成としてもよい。
【００８１】
（６）低コストで煩雑なメンテナンスが不要である。
スライダーの変位は、開閉開始時の短い距離であるので、ゴミが付着し騒音が発生するようになっても、建具開閉時のごく一部でしかない。従って、通常の戸車のように頻繁にメンテナンスを行う必要はない。また、コストアップの原因となる、オイルレスメタル、ベアリング、ゴミ掃除用ブラシ設置が基本的に不要である。また、敷居に異物が溜まりにくい嵌め込み式のＶレール等を用いずに、ネジ止め可能なレールを用いても騒音を小さくすることができるので、レール交換の手間が少ない。一方で、Ｖレール等を用いることにより、さらに騒音防止効果を高めることも可能である。
【００８２】
なお、上記実施形態におけるガイドレールとしては、鴨居や敷居に別体のレール（Ｖ型レール、Ｙ型レール、Ω型レール、Ｔ型レール等）を取り付けたもののほか、鴨居や敷居自体に溝を掘ったものや、鴨居や敷居に掘った溝の底に滑る部材を貼り付けたものなど、スライド建具をガイド可能なレール状の構成のものであれば同様に適用可能である。
【符号の説明】
【００８３】
１  ガイドレール
２  ガイドレール
３  取っ手
４  固定ビス
５  アーム
１０  スライド装置
１１  スライダー
１２  ランナー
１３  ブラケット
１４  回転軸
１５  ストッパー
１６  ダンパー
２０  スライド装置
２１  スライダー
２２  側面部
２３  ケース
２４  回転軸
２５  ストッパー
２６  長孔
３０  スライド装置
３１  スライダー
３２  ケース
３３  ケース
３４  コロ
１００  スライド建具
２００  スライド建具
３００  スライド建具
４００  スライド建具
【図１】
0005388831.tif 000002
【図２】
0005388831.tif 000003
【図３】
0005388831.tif 000004
【図４】
0005388831.tif 000005
【図５】
0005388831.tif 000006
【図６】
0005388831.tif 000007
【図７】
0005388831.tif 000008
【図８】
0005388831.tif 000009
【図９】
0005388831.tif 000010
【図１０】
0005388831.tif 000011
【図１１】
0005388831.tif 000012
【図１２】
0005388831.tif 000013
【図１３】
0005388831.tif 000014
【図１４】
0005388831.tif 000015